(57)【要約】【課題】ＶｏＩＰ通信可能なモバイル電話端末であって、ＶｏＩＰ通信のエリア外にあっても、ユーザがリアルタイムで着信を知ることができるものを提供すること。【解決手段】本体１Ａとページャ手段１Ｂとを備える。本体１Ａは、ＶｏＩＰ通信のエリア内にあり、かつ電源がオンされた状態で、インターネットを含む第１の通信経路１−１７を介してＶｏＩＰ通信を行う。ページャ手段１Ｂは、本体１Ａの電源のオン、オフにかかわらず、第１の通信経路１−１７とは別の第２の通信経路１−１６で通信を行う。【選択図】　図１
2004120343.tif 000002
【特許請求の範囲】
【請求項１】
ＶｏＩＰ通信のエリア内にあり、かつ電源がオンされた状態で、インターネットを含む第１の通信経路を介してＶｏＩＰ通信を行う本体と、上記本体の電源のオン、オフにかかわらず、上記第１の通信経路とは別の第２の通信経路で通信を行うためのページャ手段とを備えたモバイル電話端末。
【請求項２】
請求項１に記載のモバイル電話端末において、
着呼した電話番号を受信して蓄積し、この蓄積した電話番号を用いてその電話番号へ電話をかける再ダイヤル手段を備えたことを特徴とするモバイル電話端末。
【請求項３】
請求項１に記載のモバイル電話端末において、
着呼した電話番号に対応するメールアドレスを蓄積し、この蓄積したメールアドレスを用いてメールを返信するメール返信手段を備えたことを特徴とするモバイル電話端末。
【請求項４】
請求項１に記載のモバイル電話端末において、
上記ページャ手段はメール内容を受信して表示する手段を含むことを特徴とするモバイル電話端末。
【請求項５】
請求項４に記載のモバイル電話端末において、
上記ページャ手段はメール内容を編集する手段を含むことを特徴とするモバイル電話端末。
【請求項６】
請求項１に記載のモバイル電話端末のために通信を中継するサーバシステムであって、
上記モバイル電話端末を上記第１の通信経路を介して呼び出し、上記第１の通信経路を介して通信可能であるとき上記第１の通信経路を介してＶｏＩＰ通信を中継する一方、上記第１の通信経路を介して通信できないとき上記第２の通信経路を介して通信を中継する制御を行うことを特徴とするサーバシステム。
【請求項７】
請求項１に記載のモバイル電話端末と、請求項６に記載のサーバシステムとを備え、
或る電話端末から上記モバイル電話端末へ電話がかけられた場合に上記第１の通信経路を介して通信できないとき、上記サーバシステムの制御によって上記第２の通信経路を介して上記モバイル電話端末へ着信を知らせる着信通知システム。
【発明の詳細な説明】
【０００１】
【発明の属する技術分野】
この発明はモバイル電話端末に関し、より詳しくはＶｏＩＰ通信可能なモバイル電話端末に関する。なお、「ＶｏＩＰ通信」とは、ＶｏＩＰ（ボイス・オーバ・インターネット・プロトコル）を利用してインターネットを介して行われる通信を意味する。
【０００２】
また、この発明はそのようなモバイル電話端末のために通信を中継するサーバシステムに関する。
【０００３】
また、この発明はそのようなモバイル電話端末およびサーバシステムを備えた着信通知システムに関する。
【０００４】
【従来の技術および発明が解決しようとする課題】
最近、ＩＰｖ６（インターネット・プロトコル・バージョン６）に従うＶｏＩＰ通信可能なモバイル電話端末（これを適宜「ＶｏＩＰ端末」と呼ぶ。）を用いて、インターネットを利用した音声電話が可能になっている。しかし、現状ではＶｏＩＰ端末で音声通信をするためのＬＡＮ（ローカル・エリアネットワーク）や無線ＬＡＮ、または街中のホットスポットなどの基地局がまだまだ少なく、インフラストラクチャの整備には時間を要する。ＶｏＩＰ端末が、インターネットにアクセスできる環境にない場合、または移動中などでＶｏＩＰ通信のエリア外になった場合は、ＶｏＩＰ端末での着信通知、呼び出しができない。
【０００５】
従来、サービスエリア圏外にある携帯電話端末に対して呼び出しがあった場合、呼び出しのあった端末の番号や、発信者の番号を一時的に預かって、その端末がサービスエリア圏内にあり、かつその端末の電源がオンになったときに、改めて呼び出しを行う技術が提案されている（例えば、特許文献１参照。）。
【０００６】
【特許文献１】
特開平９−３０７９６２号公報（第１頁要約書、図１）
【０００７】
この技術をＶｏＩＰ端末に適用したとしても、その端末がＶｏＩＰ通信のエリア内にあり、かつその端末の電源がオンにならないと、着呼したことはＶｏＩＰ端末に知らされない。このため、ＶｏＩＰ通信のエリア内にユーザは常に自ら意識して戻る必要がある。加えて、ＶｏＩＰ通信可能なエリアが近くに無い場合などでは重要な連絡があっても、時間が経過して着呼ができないことから見落とす恐れもある。
【０００８】
そこで、この発明の課題は、ＶｏＩＰ通信可能なモバイル電話端末であって、ＶｏＩＰ通信のエリア外にあっても、ユーザがリアルタイムで着信を知ることができるものを提供することにある。
【０００９】
また、この発明の課題は、そのようなモバイル電話端末のために通信を中継するサーバシステムであって、モバイル電話端末がＶｏＩＰ通信のエリア外にあっても、ユーザがリアルタイムで着信を知ることができるものを提供することにある。
【００１０】
また、この発明の課題は、そのようなモバイル電話端末およびサーバシステムを備えて、ユーザがリアルタイムで着信を知ることができる着信通知システムを提供することにある。
【００１１】
【課題を解決するための手段】
上記課題を解決するため、この発明のモバイル電話端末は、次のように構成される。すなわち、この発明のモバイル電話端末は、ＶｏＩＰ通信のエリア内にあり、かつ電源がオンされた状態で、インターネットを含む第１の通信経路を介してＶｏＩＰ通信を行う本体を備える。また、上記本体の電源のオン、オフにかかわらず、上記第１の通信経路とは別の第２の通信経路で通信を行うためのページャ手段を備える。
【００１２】
この発明のモバイル電話端末では、本体は、ＶｏＩＰ通信のエリア内にあり、かつ電源がオンされた状態で、従来のモバイル電話端末と同様に、インターネットを含む第１の通信経路を介してＶｏＩＰ通信を行う。一方、本体が、ＶｏＩＰ通信のエリア外にあり、または電源がオフされた状態であれば、ＶｏＩＰ通信は行えない。ここで、この発明のモバイル電話端末は、ページャ手段が、上記本体の電源のオン、オフにかかわらず、上記第１の通信経路とは別の第２の通信経路で通信を行う。また、一般にページャ（インスタントメッセンジャとも呼ばれる。）の電波はＶｏＩＰ通信の電波に比して広範囲に届くことから、ＶｏＩＰ通信のエリア外であっても、ページャ手段にによる第２の通信経路を介した通信は可能となる。したがって、ユーザはリアルタイムで着信を知ることができる。この結果、ユーザは、ＶｏＩＰ通信のエリア内へ移動して、タイムリーに、モバイル電話端末の本体による第１の通信経路を介したＶｏＩＰ通信を行うことができる。または、ＶｏＩＰ通信のエリア外のままで、直ちに、ページャ手段による第２の通信経路を介した通信を行うことができる。
【００１３】
さらに、ＶｏＩＰ通信は通話料が定額であることが多く、その場合、発信中心の携帯電話ユーザには大きな利点がある。
【００１４】
なお、この発明の作用効果は、モバイル電話端末（本体）がＶｏＩＰ通信のエリア外にある場合だけでなく、移動中などで、電波の感度が変化することによって通信できない場合でも同様である。
【００１５】
一実施形態のモバイル電話端末は、着呼した電話番号を受信して蓄積し、この蓄積した電話番号を用いてその電話番号へ電話をかける再ダイヤル手段を備えたことを特徴とする。
【００１６】
この一実施形態のモバイル電話端末では、再ダイヤル手段によって、着呼した電話番号を受信して蓄積し、この蓄積した電話番号を用いてその電話番号へ電話をかけることができる。したがって、このモバイル電話端末が使いやすく、便利になる。
【００１７】
一実施形態のモバイル電話端末は、着呼した電話番号に対応するメールアドレスを蓄積し、この蓄積したメールアドレスを用いてメールを返信するメール返信手段を備えたことを特徴とする。
【００１８】
この一実施形態のモバイル電話端末では、メール返信手段によって、着呼した電話番号に対応するメールアドレスを蓄積し、この蓄積したメールアドレスを用いてメールを返信することができる。したがって、このモバイル電話端末が使いやすく、便利になる。
【００１９】
一実施形態のモバイル電話端末は、上記ページャ手段はメール内容を受信して表示する手段を含むことを特徴とする。
【００２０】
この一実施形態のモバイル電話端末では、上記ページャ手段はメール内容を受信して表示する手段を含むので、ユーザはメール内容を見て知ることができる。したがって、このモバイル電話端末が使いやすく、便利になる。
【００２１】
一実施形態のモバイル電話端末は、上記ページャ手段はメール内容を編集する手段を含むことを特徴とする。
【００２２】
この一実施形態のモバイル電話端末では、上記ページャ手段はメール内容を編集する手段を含むので、ユーザはメール内容の概要を知ることができる。したがって、このモバイル電話端末がさらに使いやすく、便利になる。
【００２３】
この発明のサーバシステムは、上述のモバイル電話端末のために通信を中継するサーバシステムであって、上記モバイル電話端末を上記第１の通信経路を介して呼び出し、上記第１の通信経路を介して通信可能であるとき上記第１の通信経路を介してＶｏＩＰ通信を中継する一方、上記第１の通信経路を介して通信できないとき上記第２の通信経路を介して通信を中継する制御を行うことを特徴とする。
【００２４】
この発明のサーバシステムによれば、上記モバイル電話端末を上記第１の通信経路を介して呼び出し、上記第１の通信経路を介して通信可能であるとき上記第１の通信経路を介してＶｏＩＰ通信を中継する。これにより、モバイル電話端末の本体は、ＶｏＩＰ通信のエリア内にあり、かつ電源がオンされた状態で、従来のモバイル電話端末と同様に、インターネットを含む第１の通信経路を介してＶｏＩＰ通信を行うことができる。一方、この発明のサーバシステムは、上記第１の通信経路を介して通信できないとき上記第２の通信経路を介して通信を中継する。これにより、モバイル電話端末のページャ手段が、上記本体の電源のオン、オフにかかわらず、上記第１の通信経路とは別の第２の通信経路で通信を行うことができる。したがって、モバイル電話端末のユーザはリアルタイムで着信を知ることができる。この結果、ユーザは、ＶｏＩＰ通信のエリア内へ移動して、タイムリーに、モバイル電話端末の本体による第１の通信経路を介したＶｏＩＰ通信を行うことができる。または、ＶｏＩＰ通信のエリア外のままで、直ちに、ページャ手段による第２の通信経路を介した通信を行うことができる。
【００２５】
この発明の着信通知システムは、上述のモバイル電話端末と、上述のサーバシステムとを備え、或る電話端末から上記モバイル電話端末へ電話がかけられた場合に上記第１の通信経路を介して通信できないとき、上記サーバシステムの制御によって上記第２の通信経路を介して上記モバイル電話端末へ着信を知らせる。
【００２６】
この発明の着信通知システムによれば、モバイル電話端末のユーザはリアルタイムで着信を知ることができる。この結果、ユーザは、ＶｏＩＰ通信のエリア内へ移動して、タイムリーに、モバイル電話端末の本体による第１の通信経路を介したＶｏＩＰ通信を行うことができる。または、ＶｏＩＰ通信のエリア外のままで、直ちに、ページャ手段による第２の通信経路を介した通信を行うことができる。
【００２７】
【発明の実施の形態】
以下、この発明を図示の実施の形態により詳細に説明する。
【００２８】
図１は、この発明の一実施形態の、ＶｏＩＰ通信に対応したモバイル電話端末（全体を符号１で示す。以下「ＶｏＩＰ端末」という。）のブロック構成を示している。
【００２９】
このＶｏＩＰ端末１は、大別して、インターネットを含む第１の通信経路を介してＶｏＩＰ通信を行うための本体１Ａと、上記第１の通信経路とは別の第２の通信経路で通信を行うためのページャ手段１Ｂとを備えている。第１の通信経路は、無線ＬＡＮ基地局または街中のホットスポット基地局１−１７を介してＶｏＩＰ通信を行う、インターネットに接続される通信経路である。一方、第２の通信経路は、ページャ基地局１−１６を介してページャ通信を行う通信経路である。一般にページャ（インスタントメッセンジャとも呼ばれる。）の電波はＶｏＩＰ通信の電波に比して広範囲に届くことから、ＶｏＩＰ通信のエリア外２Ｘであっても、ページャ手段１Ｂによる第２の通信経路を介した通信は可能となる。
【００３０】
本体１Ａは、表示部１−１、表示制御部１−２、タッチパネル１−３、キーボード１−４、マウス１−５、入力制御部１−７、メール受信部１−１０、メール送信部１−１１、メール制御部１−９、外／内記憶装置１−１２、無線ＬＡＮ／有線ＬＡＮ部１−１３、電源制御装置１−６、および中央処理装置１−８を含んでいる。
【００３１】
表示部１−１は、液晶、ＣＲＴなどのディスプレイ画面の表示装置であり、電話番号やメール、メッセージなどを表示する。
【００３２】
表示制御部１−２は、メールやダイヤラーなどのアプリケーションなどで表示される内容を制御している。
【００３３】
入力制御部１−７は、公知のタッチパネル１−３、キーボード１−４またはマウス１−５で入力された文字、表示位置の検出などを制御している。端末機の種類によってはキーボード１−４、マウス１−５は接続されない場合もある。
【００３４】
メール制御部１−９は、公知のメール受信部１−１０、メール送信部１−１１で送受信された、メールの入出力を制御、管理している。
【００３５】
外／内記憶装置１−１２は、ページャ部１−１４で受信した電話番号やメッセージなどの情報や、メール制御部１−９で送受信されたメールの記憶などＶｏＩＰ端末のアプリケーションの処理で発生したデータおよび管理項目などを記憶している。
【００３６】
無線ＬＡＮ／有線ＬＡＮ部１−１３は、家庭や会社の無線ＬＡＮ、街中のホットスポット１−１７と接続して、インターネットと通信を行う。
【００３７】
電源制御装置１−６は、中央処理装置１−８の制御に応じて、本体１Ａの各構成要素へ電源を供給するとともに、ページャ手段１Ｂへ電源を供給する。ページャ手段１Ｂへは、本体１Ａの電源ＯＮ（オン）、ＯＦＦ（オフ）にかかわらず、電源が供給される。
【００３８】
中央処理装置１−８は、入力制御部１−７、表示制御部１−２、メール制御部１−９、外／内部記憶装置１−１２、無線ＬＡＮ／有線ＬＡＮ部１−１３、電源制御装置１−６を総括して管理して、メールやダイヤラー、インターネット接続などの処理を行うとともに、ページャ手段１Ｂを管理している。
【００３９】
ページャ手段１Ｂは、ページャ部１−１４、および表示・着信ＬＥＤ１−１５を含んでいる。
【００４０】
ページャ部１−１４は、ページャ基地局１−１６から送信されてきた、電話番号およびメッセージなどの受信、蓄積を管理している。また、電話番号や、メッセージをページャ部１−１４が受信したことを、表示・着信ＬＥＤ１−１５を点灯（または点滅）させてユーザに知らせる。
【００４１】
上記本体１Ａとページャ手段１Ｂとは、基本的に互いに独立したブロックとして動作するようになっている。すなわち、本体１Ａは、図２に示すようにＶｏＩＰ通信のエリア内２Ａにあり、かつ電源がオンされた状態で、従来のモバイル電話端末と同様に、インターネットを含む第１の通信経路を介してＶｏＩＰ通信を行う。なお、ＶｏＩＰ通信のエリア内（以下、単に「エリア内」という。）２Ａには、家庭２Ａ−１や会社２Ａ−２、街中のホットスポット（コンビニエンスストア）２Ａ−３などの有線ＬＡＮ、無線ＬＡＮの基地局が含まれている。一方、本体１Ａが電源ＯＦＦ状態、または、ＶｏＩＰ通信のエリア外（以下、単に「エリア外」という。）２Ｘにあって、ＶｏＩＰ通信が機能しない場合でも、ページャ手段１Ｂは独立して動作しており、第２の通信経路を介してページャ基地局１−１６から送られてくる電話番号やメッセージを受信して蓄積することができる。
【００４２】
この例では、図３（ａ）に示すように、ページャ手段１Ｂは本体１Ａの側面に沿った部位に内蔵されているものとする。ページャ手段１Ｂは、ページャ表示部３−３と、ＬＥＤ３−４と、操作ボタン３−５とを備えている。ページャ表示部３−３は、第２の通信経路を介して受信したメッセージ内容を表示する。ＬＥＤ３−４は、第２の通信経路を介した着呼をユーザに知らせる。また、操作ボタン３−５は、ページャ表示部３−３の表示をスクロールさせる等のために用いられる。
【００４３】
図４は、このＶｏＩＰ端末１の動作フローを示している。
【００４４】
まず、ＶｏＩＰ端末１（本体１Ａ）の電源がＯＮされると（Ｓ４−１）、このＶｏＩＰ端末１がエリア外２Ｘにあるか否かを判断する（Ｓ４−２）。
【００４５】
ここで、ＶｏＩＰ端末１がエリア内２Ａにあれば、本体１Ａはメッセージ受信状態で待機する（Ｓ４−１１）。そして、電話がかかってくるか、またはメッセージが届いた時点で、本体１Ａはインターネットを含む第１の通信経路を介して通信を開始して（Ｓ４−１２）、着呼やメッセージを受信する。これらの受信した情報は、このＶｏＩＰ端末１エリア内２Ａに入り、かつ本体１Ａの電源がＯＮされてＶｏＩＰ通信が可能になるまで、ページャ部１−１４内に蓄積される。この理由は、ＶｏＩＰ端末１の電池電圧が低下して直ちには電源をＯＮできないときや、直ちにはエリア内２Ａに入れないなど、ＶｏＩＰ通信が可能になるまで相当の時間がかかる場合があるからである。
【００４６】
着呼やメッセージを受信終了後、本体１Ａは継続してエリアの監視を行い（Ｓ４−１３）、ＶｏＩＰ端末１がエリア内２Ａにあれば、続けてＶｏＩＰ端末１の電源がＯＦＦになるまで監視を続ける（Ｓ４−１１）。一方、ＶｏＩＰ端末１がエリア外２Ｘに出たならば、本体１Ａはぺージャ部１−１４に監視を移し、ステップＳ４−３へ進む。
【００４７】
ステップＳ４−２またはＳ４−１３でＶｏＩＰ端末１がエリア外２Ｘにあれば、ページャ部１−１４が電話番号やメッセージを受信するための待機状態になる（Ｓ４−３）。このエリア外２Ｘでメッセージを受信すると（Ｓ４−４）、ページャ部１−１４は受信した電話番号やメッセージをぺージャ表示部３−３に表示すると同時に、ＬＥＤ３−４を点滅させ、または図示しない音源の音によって、ユーザに着呼したことを知らせる（Ｓ４−５）。
【００４８】
例えば図５（ａ）はページャ部１−１４が着呼を受けた場合のページャ表示部３−３における表示例を示している。この表示例では、
「０９０−１２３４−５６７８から電話を受信しました。
通信可能エリアに行って電話をかけてください」
と表示されている。
【００４９】
また、図５（ｂ）はページャ部１−１４がメッセージを受信した場合のページャ表示部３−３における表示例を示している。この表示例では、
「ａｂｃ＠１２３．ｃｏ．ｊｐからメールを受信しました。
通信可能エリアに行って電話をかけてください」
と表示されている。
【００５０】
これらの表示等により、ユーザはリアルタイムで着信を知ることができる。この結果、ユーザは、エリア内２Ａへ移動して、タイムリーに、ＶｏＩＰ端末１の本体１Ａによる第１の通信経路を介したＶｏＩＰ通信を行うことができる。または、エリア外２Ｘのままで、直ちに、ページャ手段１Ｂによる第２の通信経路を介した通信を行うことができる。さらに、ＶｏＩＰ通信は通話料が定額であることが多く、その場合、発信中心の携帯電話ユーザには大きな利点がある。
【００５１】
なお、この作用効果は、ＶｏＩＰ端末１（本体１Ａ）がＶｏＩＰ通信のエリア外２Ｘにある場合だけでなく、移動中などで、電波の感度が変化することによって通信できない場合でも同様である。
【００５２】
ＬＥＤ３−４は、電話の着呼とメッセージの受信とで、それぞれ点滅方法、色などを変えるのが望ましい。そのようにした場合、ユーザは、点滅方法や色の相違に応じて、着信した情報の種類などを直感的に把握することができる。したがって、このＶｏＩＰ端末１がさらに使いやすく、便利になる。
【００５３】
図４の動作フローに戻って説明を続ける。ステップＳ４−６に示すように、ＶｏＩＰ端末１がエリア内２Ａに入ったか否かのチェックは定期的に行う。ＶｏＩＰ端末１がエリア内２Ａに入ったら、ページャ部１−１４は、本体１Ａの電源がＯＮ状態であるか否かを確認する（Ｓ４−７）。ＶｏＩＰ端末１の電源がＯＮされていなければ、ページャ部１−１４は本体１Ａの電源をＯＮし（Ｓ４−８）、蓄積している電話番号やメッセージに関する情報を本体１Ａに送信する（Ｓ４−９）。なお、ＶｏＩＰ端末１の電源がＯＦＦされれば、処理を終了する（Ｓ４−１０）。
【００５４】
このＶｏＩＰ端末１の本体１Ａは、次に述べるようにページャ部１−１４からの情報を利用して、電話をかけなおす再ダイヤル機能や、メッセージ内のメールアドレスにメールを返信することができるメール返信機能を有する。したがって、このＶｏＩＰ端末１が使いやすく、便利になる。
【００５５】
図６は、上述のＶｏＩＰ端末１を支えるサーバシステムの構成を示している。このサーバシステムは、ＶｏＩＰサーバ６−１と、ページャサーバ６−４とを備えている。
【００５６】
ＶｏＩＰサーバ６−１は、携帯電話や他のＶｏＩＰ端末９９から着呼要求やメッセージ送信要求を受信すると、ＶｏＩＰ端末１をインターネットを含む第１の通信経路６−２を介して呼び出し、第１の通信経路６−２を介して通信可能であるとき第１の通信経路６−２を介してＶｏＩＰ通信を中継する。一方、ＶｏＩＰ端末１が、エリア外２Ｘにあり、または電源がＯＦＦされた状態であれば、ＶｏＩＰ端末１からの返事は返ってこないため、ＶｏＩＰ通信は行えない。その場合、ＶｏＩＰサーバ６−１は、ページャサーバ６−４に電話の着呼／メッセージに関する情報および制御信号６−３を送って、ページャサーバ６−４によって第２の通信経路６−５を介したページャ通信を中継する。これにより、ＶｏＩＰ端末１のページャ手段１Ｂが、本体１Ａの電源のオン、オフにかかわらず、第１の通信経路６−２とは別の第２の通信経路６−５で通信を行うことができる。
【００５７】
図７は、ＶｏＩＰサーバ６−１による電話着呼、メッセージ送信の動作フローを示している。
【００５８】
ＶｏＩＰサーバ６−１は、携帯電話や他のＶｏＩＰ端末９９から着呼要求やメッセージ送信要求を受信すると（Ｓ７−１）、まずインターネットを含む第１の通信経路６−２を介してＶｏＩＰ端末１を呼び出して（Ｓ７−２）、第１の通信経路６−２を介して通信可能であるか否かを判断する（Ｓ７−３）。第１の通信経路６−２を介して通信可能であるときは、第１の通信経路６−２を介してＶｏＩＰ通信を開始する（Ｓ７−５）。つまり、インターネットを含む第１の通信経路６−２を介して、電話の着呼／メッセージに関する情報をＶｏＩＰ端末１へ送信する。通信が終了した場合でも、引き続きＶｏＩＰ端末１の監視を行い（Ｓ７−６）、ＶｏＩＰ端末１がエリア外２Ｘに出たときは、ページャサーバ６−４によって第２の通信経路６−５を介したページャ通信に切り替える処理も行う。
【００５９】
一方、ステップＳ７−３で、第１の通信経路６−２を介して通信不能であるときは、ページャサーバ６−４によって第２の通信経路６−５を介したページャ通信を中継する（Ｓ７−４）。つまり、第２の通信経路６−５を介して、電話の着呼／メッセージに関する情報をＶｏＩＰ端末１へ送信する。
【００６０】
図８は、ＶｏＩＰ端末１の本体１Ａの表示部１−１における電話番号やメッセージの表示例を示している。ここに表示された再ダイヤル・メール返信リスト９−３の情報は、図４のステップＳ４−９でページャ部１−１４から受けたものである。
【００６１】
この再ダイヤル・メール返信リスト９−３は、画面左欄の未／済リスト９−４と、中央欄の電話番号・メッセージリスト９−５と、画面右欄の受信日リスト９−６とを含んでいる。ユーザが返信したい相手先の表示内容（電話番号／メッセージ）にカーソル（斜線を付した横長の矩形領域）を移動し、返信キー９−７を押す。
【００６２】
ここで、ＶｏＩＰ端末１（本体１Ａの中央処理装置１−８）がその表示内容を電話番号であると認識したら、図９（ａ）に示すように画面内にダイヤルアップウインド１０−１が表示され、その電話番号（この例では０９０−１２３４−５６７８）へのダイヤルアップを開始する。なお、ダイヤルアップ中に、ユーザがそのウインド１０−１内に表示された中止キー１０−２を押せば、ダイヤルアップは中止される。
【００６３】
また、ＶｏＩＰ端末１がその表示内容をメールアドレスであると認識したら、図９（ｂ）に示すように画面内にメール作成ウインド１０−３が表示される。ユーザは、そのウインド１０−３内にメール本文を入力することができ、そのウインド１０−３内に表示された送信キー１０−４を押すことにより、そのメールアドレス（この例では「ａｂｃ＠１２３．ｃｏ．ｊｐ」）へメールを送信（返信）することができる。
【００６４】
なお、メールの本文を入力するためのキーボード、接続先の設定などは、市販されているザウルス（シャープ株式会社の登録商標）などの携帯端末におけるのと同様であるから、説明は割愛する。
【００６５】
図１０は、上述の再ダイヤル・メール返信のための動作フローを示している。
【００６６】
まず、ステップＳ１１−１（図４のＳ４−９と同じ）で、ページャ部１−１４が蓄積している電話番号やメッセージに関する情報を本体１Ａに送信したとする。この後、ユーザが再ダイヤルを選択するか（Ｓ１１−２）、ＶｏＩＰ端末のメニュー画面（図示せず）から再ダイヤル機能を選択すると（Ｓ１１−４）、再ダイヤル・メール返信リスト９−３（図８参照）が表示される（Ｓ１１−５）。ここで、ユーザがリスト内から返信したい相手先の表示内容（電話番号／メッセージ）を選択して返信キー９−７を押す（Ｓ１１−６）。すると、ＶｏＩＰ端末１（本体１Ａの中央処理装置１−８）は、その表示内容が電話番号であるか、メールアドレスであるかを判断する（Ｓ１１−７）。その表示内容が電話番号であれば、その電話番号へのダイヤルアップを開始する。電話が繋がると、ユーザは通話ができる（Ｓ１１−９）。一方、その表示内容がメールアドレスならば、画面内にメール作成ウインド１０−３（図９（ｂ）参照）が表示される（Ｓ１１−１０）。ユーザは、そのウインド１０−３内にメール本文を入力することができる（Ｓ１１−１１）。そして、ユーザがそのウインド１０−３内に表示された送信キー１０−４を押すと、ＶｏＩＰ端末１はそのメールアドレスへメールを送信（返信）する（Ｓ１１−１２）。
【００６７】
ＶｏＩＰ端末１は電話とメールのどちらの場合も、終了した場合は再ダイヤル・メール返信リスト９−３（図８参照）の表示に戻って、ユーザのリスト選択を待つ（Ｓ１１−６）。これにより、ユーザは連続して、メールを送信したり、電話をかけたりできる。したがって、このＶｏＩＰ端末１がさらに使いやすく、便利になる。
【００６８】
また、ＶｏＩＰ端末１がメール受信したとき、ユーザがメール内容やその概要を知ることができれば、さらに便利となる。
【００６９】
図１１は、ＶｏＩＰ端末１のページャ部１−１４が受信したメール内容を、ページャ表示部３−３にスクロール可能に表示した表示例を示している。この表示例では、操作ボタン３−５の操作によって、スクロールアップまたはスクロールダウンして表示されるようになっている。なお、操作ボタン３−５中の△印はスクロールアップのためのキー、▽印はスクロールダウンのためのキーをそれぞれ表している。
【００７０】
図１２は、図６に示したサーバシステムにメールサーバ６−０を加えた変形例を示している。
【００７１】
上述のＶｏＩＰ端末１のページャ部１−１４は、本来簡易なメッセージの通信を目的としているため、受信できる文字数の上限が本体１Ａに比して低くなっている。この変形例では、パソコン９８や他のＶｏＩＰ端末９９などからメールサーバ６−０を介して送付されたメールを、ＶｏＩＰサーバ６−１が編集して、ページャサーバ６−４に転送するようになっている。例えば、パソコン９８からメールサーバ６−０を介してＶｏＩＰサーバ６−１に
「タイトル：在庫確認のお願い
内容：Ｙ社に対しＸ−５０００の納入が決定しました。
至急在庫を確認していただき、山本まで
連絡してください。」
というメールが送付されたものとする。ＶｏＩＰサーバ６−１は、このメールの内容を短く編集して
「タイトル：在庫確認のお願い
内容：Ｙ社に対しＸ−５０００の納入が決定しました。」
とし、ページャサーバ６−４に転送する。ページャサーバ６−４は、その編集されたメールを、第２の通信経路６−５を介してＶｏＩＰ端末１へ送る。
【００７２】
このようにした場合、ＶｏＩＰ端末１のページャ部１−１４は、文字数の上限に抵触することなく、その編集されたメールを受信することができる。
【００７３】
図１３は、パソコンやＶｏＩＰ端末にインストールされた一般的なブラウザを利用して、ＶｏＩＰサーバ６−１に対してメールの長さ（文字数の上限）を指定するためのメール設定画面を示している。このメール設定画面は、公知のブラウザのツール（Ｔ）１４−１を使って開いたものである。
【００７４】
ＶｏＩＰサーバ６−１には、メールアドレス１４−２とパスワード１４−３を使ってアクセスする。メールの受信桁数もしくは行数は、桁数欄１４−５、行数欄１４−５の入力内容によって指定する。これにより、ＶｏＩＰサーバ６−１が受信するメールの文字数の上限を指定することができる。「受信したメールを」欄１４−６の「残す」をチェックすることによって、編集前の内容をＶｏＩＰメールサーバ６−１に残しておく設定ができるる。したがって、ＶｏＩＰ端末１で編集されたメールの内容を見た後、ユーザが必要を感じたら、メール全文をパソコンなどで別途受信することもできる。このメール設定画面内の項目の入力が終わってユーザが送信キー１４−７を押せば、設定内容がＶｏＩＰサーバ１４−７に送信されて、登録される。なお、リセットキー１４−８を押せば、メール設定画面の入力内容が消去される。
【００７５】
図１４（ａ）は、上述のメール設定のフローを示している。上述のように、ユーザがブラウザを利用してメール編集のパラメータを入力し（Ｓ１５−１）、送信キー１４−７を押せば、設定内容がＶｏＩＰサーバ６−１に送信されて、登録される（Ｓ１５−２）。
【００７６】
図１４（ｂ）は、ＶｏＩＰサーバ６−１によるメール編集のフローを示している。ＶｏＩＰサーバ６−１は、メールサーバ６−０からメールを受信すると（Ｓ１５−４）、ユーザがメールを編集する設定をしているか否かを確認する（Ｓ１５−５）。ここでユーザがメールを編集する設定をしていれば、ＶｏＩＰサーバ６−１は、指定されているパラメータに従って、メールを編集する（Ｓ１５−６）。ユーザがメールを編集する設定をしていなければ、編集は行わない。次に、メールに添付データがあれば、その添付データを外してテキスト情報のみにする（Ｓ１５−７）。そして、このようにして編集されたメール（テキスト情報）をページャサーバ６−４に送信する（Ｓ１５−８）。ページャサーバ６−４は、その編集されたメールを、第２の通信経路６−５を介してＶｏＩＰ端末１へ送る（Ｓ１５−９）。
【００７７】
このようにした場合、ユーザは編集されたメール、つまりメール内容の概要を知ることができる。したがって、このＶｏＩＰ端末１がさらに使いやすく、便利になる。
【００７８】
なお、上述の実施形態では、ページャ手段１Ｂは本体１Ａに内蔵されているものとしたが、これに限られるものではない。ページャ手段１Ｂは、図３（ｂ）に示すように、本体１Ａとは独立した筐体１Ｂ−２を有し、ケーブルコネクタ３−６を介して本体１Ａに接続されていても良い。また、ページャ手段１Ｂは、図３（ｃ）に示すように、カード１Ｂ−３として構成され、カードスロットを有する本体１Ａに装着されるようになっていても良い。
【００７９】
【発明の効果】
以上より明らかなように、この発明のＶｏＩＰ端末によれば、ユーザはリアルタイムで着信を知ることができる。この結果、ユーザは、ＶｏＩＰ通信のエリア内へ移動して、タイムリーに、本体による第１の通信経路を介したＶｏＩＰ通信を行うことができる。または、ＶｏＩＰ通信のエリア外のままで、直ちに、ページャ手段による第２の通信経路を介した通信を行うことができる。
【００８０】
また、この発明サーバシステムによれば、そのようなＶｏＩＰ端末のために通信を中継することができる。
【００８１】
また、この発明の着信通知システムによれば、ＶｏＩＰ端末のユーザはリアルタイムで着信を知ることができる。この結果、ユーザは、ＶｏＩＰ通信のエリア内へ移動して、タイムリーに、ＶｏＩＰ端末の本体による第１の通信経路を介したＶｏＩＰ通信を行うことができる。または、ＶｏＩＰ通信のエリア外のままで、直ちに、ページャ手段による第２の通信経路を介した通信を行うことができる。
【図面の簡単な説明】
【図１】この発明の一実施形態のＶｏＩＰ端末のブロック構成を示す図である。
【図２】ＶｏＩＰ通信可能なエリアとそれ以外のエリアとを示す図である。
【図３】上記ＶｏＩＰ端末に含まれるページャ手段の様々な態様を示す図である。
【図４】上記ＶｏＩＰ端末の動作フローを示す図である。
【図５】ページャ表示部の表示例を示す図である。
【図６】この発明の一実施形態のサーバシステムの構成を示す図である。
【図７】上記サーバシステムの動作フローを示す図である。
【図８】上記ＶｏＩＰ端末の本体の表示部における電話番号やメッセージの表示例を示す図である。
【図９】再ダイヤルのためのダイヤルアップウインドを示す図である。
【図１０】メール返信のためのメール作成ウインドを示す図である。
【図１１】ページャ表示部のスクロール表示を説明する図である。
【図１２】変形例のサーバシステムのを示す図である。
【図１３】上記変形例のサーバシステムを構成するＶｏＩＰサーバに対するメール設定画面を例示する図である。
【図１４】図１４（ａ）は上述のメール設定画面を用いたメール設定のフローを示す図、図１４（ｂ）は上記変形例のサーバシステムによるメール編集のフローを示す図である。
【符号の説明】
１　ＶｏＩＰ端末
１Ａ　本体
１Ｂ　ページャ手段
１−１４　ページャ部
６−０　メールサーバ
６−１　ＶｏＩＰサーバ
６−４　ページャサーバ
【図１】
2004120343.tif 000003
【図２】
2004120343.tif 000004
【図３】
2004120343.tif 000005
【図４】
2004120343.tif 000006
【図５】
2004120343.tif 000007
【図６】
2004120343.tif 000008
【図７】
2004120343.tif 000009
【図８】
2004120343.tif 000010
【図９】
2004120343.tif 000011
【図１０】
2004120343.tif 000012
【図１１】
2004120343.tif 000013
【図１２】
2004120343.tif 000014
【図１３】
2004120343.tif 000015
【図１４】
2004120343.tif 000016